(57)【要約】【課題】電流回路の熱疲労破壊を抑制した、射出成形機の提供。【解決手段】可動部を駆動する三相交流モータと、制御する物理量の実績値と設定値との差に基づいて、前記三相交流モータに電流を供給する制御装置とを有し、前記制御装置は、前記物理量の実績値と設定値との差、および前記三相交流モータの各相における電流瞬時値の大きさのバランスに基づいて、前記三相交流モータに電流を供給する、射出成形機。【選択図】図４
2018058214.tif 000002
【特許請求の範囲】
【請求項１】
可動部を駆動する三相交流モータと、
制御する物理量の実績値と設定値との差に基づいて、前記三相交流モータに電流を供給する制御装置とを有し、
前記制御装置は、前記物理量の実績値と設定値との差、および前記三相交流モータの各相における電流瞬時値の大きさのバランスに基づいて、前記三相交流モータに電流を供給する、射出成形機。
【請求項２】
前記制御装置は、前記物理量の実績値と設定値との差が許容範囲内であって、且つ、前記三相交流モータのいずれか一相の電流瞬時値の大きさが閾値以下となるように、前記三相交流モータに電流を供給する、請求項１に記載の射出成形機。
【請求項３】
前記制御装置は、前記物理量の実績値と設定値との差が許容範囲内である場合に、前記三相交流モータのいずれか一相の電流瞬時値の大きさが閾値以下であるか否かの判断を行う、請求項１または２に記載の射出成形機。
【請求項４】
前記制御装置は、前記物理量の実績値と設定値との差が許容範囲内である場合に、前記三相交流モータの各相の電流瞬時値の大きさがいずれも閾値を超えると判断すると、前記三相交流モータの各相の電気角を回転させる、請求項１〜３のいずれか１項に記載の射出成形機。
【請求項５】
前記制御装置は、前記物理量の実績値と設定値との差が許容範囲内である場合に、前記三相交流モータのいずれか一相の電流瞬時値の大きさが閾値以下であると判断すると、前記三相交流モータの各相の電気角を固定させる、請求項１〜４のいずれか１項に記載の射出成形機。
【請求項６】
前記制御装置は、前記三相交流モータの各相の電気角を固定させている場合に、前記物理量の実績値と設定値との差が許容範囲内であるか否かを判断する、請求項１〜５のいずれか１項に記載の射出成形機。
【請求項７】
前記制御装置は、前記物理量の実績値と設定値との差が許容範囲内であって且つ前記三相交流モータのいずれか一相の電流瞬時値の大きさが閾値以下となる、前記可動部の位置を求める、請求項１〜６のいずれか１項に記載の射出成形機。
【請求項８】
前記制御装置は、前記物理量の実績値と設定値との差を許容範囲内に維持すると共に、前記三相交流モータの各相の電流瞬時値の大きさの最大値を小さくするように、前記三相交流モータの各相の電気角を回転させることが可能か否かを判断する、請求項１〜７のいずれか１項に記載の射出成形機。
【請求項９】
前記制御装置は、過去のショットの前記バランスに基づいて、今回のショットの前記バランスを決める、請求項１〜８のいずれか１項に記載の射出成形機。
【請求項１０】
前記制御装置は、前記物理量の実績値と設定値との差が許容範囲内であって、且つ、前記三相交流モータのいずれか一相の電流瞬時値の大きさと、前記三相交流モータの残りのいずれか一相の電流瞬時値の大きさとの差が閾値以下となるように、前記三相交流モータに電流を供給する、請求項１〜９のいずれか１項に記載の射出成形機。
【発明の詳細な説明】
【技術分野】
【０００１】
本発明は、射出成形機に関する。
【背景技術】
【０００２】
特許文献１に記載の電動式射出装置は、射出スクリュと、射出スクリュを前後進駆動する電動サーボモータとを有する。この電動式射出装置は、射出スクリュの前方に貯留された樹脂に射出圧を付与する射出充填工程、該射出充填工程に引続いて上記貯留された樹脂に所定の保持圧力を付与する保圧工程、および樹脂の可塑化条件に応じた背圧を上記射出スクリュに付与する背圧工程の各工程を順次行なわしめる制御装置を有する。この制御装置は、上記保圧工程終了時から上記背圧工程開始時まで連続して上記電動サーボモータのトルク制限値を上記背圧工程開始時点のトルク制限値以上とし、上記保圧工程終了時から上記背圧工程終了時まで上記電動サーボモータを零速状態とする。
【先行技術文献】
【特許文献】
【０００３】
【特許文献１】特開平６−２８５９２６号公報
【発明の概要】
【発明が解決しようとする課題】
【０００４】
射出成形機は、可動部を駆動する三相交流モータと、制御する物理量の実績値と設定値との差に基づいて三相交流モータに電流を供給する制御装置とを有する。三相交流モータとしては、例えば三相同期モータが用いられる。
【０００５】
制御装置は、保圧工程などにおいて、三相交流モータの状態を低速・高出力の状態に保持する。この場合、三相のうちの特定の一相に電流が集中し続けることがある。
【０００６】
特に、射出成形機は同じ成形品を繰り返し製造すべく同じ動作を繰り返し行うので、可動部が毎回同じ位置で停止し、特定の一相に電流が集中しやい。
【０００７】
従来、特定の一相の電流回路に過負荷がかかり、熱疲労破壊が生じることがあった。
【０００８】
本発明は、上記課題に鑑みてなされたものであって、電流回路の熱疲労破壊を抑制した、射出成形機の提供を主な目的とする。
【課題を解決するための手段】
【０００９】
上記課題を解決するため、本発明の一態様によれば、
可動部を駆動する三相交流モータと、
制御する物理量の実績値と設定値との差に基づいて、前記三相交流モータに電流を供給する制御装置とを有し、
前記制御装置は、前記物理量の実績値と設定値との差、および前記三相交流モータの各相における電流瞬時値の大きさのバランスに基づいて、前記三相交流モータに電流を供給する、射出成形機が提供される。
【発明の効果】
【００１０】
本発明の一態様によれば、電流回路の熱疲労破壊を抑制した、射出成形機が提供される。
【図面の簡単な説明】
【００１１】
【図１】一実施形態による射出成形機の型開終了時の状態を示す図である。
【図２】一実施形態による射出成形機の型締時の状態を示す図である。
【図３】一実施形態による制御装置および制御装置によって制御される三相交流モータを示す図である。
【図４】制御装置による保圧工程における処理の一例を示すフローチャートである。
【図５】射出モータの速度および電流、ならびに成形材料の圧力の時間変化の一例を示す図である。
【図６】射出モータの速度および電流、ならびに成形材料の圧力の時間変化の別の一例を示す図である。
【発明を実施するための形態】
【００１２】
以下、本発明を実施するための形態について図面を参照して説明するが、各図面において、同一の又は対応する構成については同一の又は対応する符号を付して説明を省略する。
【００１３】
図１は、一実施形態による射出成形機の型開終了時の状態を示す図である。図２は、一実施形態による射出成形機の型締時の状態を示す図である。図１および図２に示すように、射出成形機は、フレームＦｒと、型締装置１０と、射出装置４０と、エジェクタ装置５０と、射出装置移動装置６０と、制御装置９０とを有する。
【００１４】
先ず、型締装置１０およびエジェクタ装置５０について説明する。型締装置１０およびエジェクタ装置５０の説明では、型閉時の可動プラテン１３の移動方向（図１および図２中右方向）を前方とし、型開時の可動プラテン１３の移動方向（図１および図２中左方向）を後方として説明する。
【００１５】
型締装置１０は、金型装置３０の型閉、型締、型開を行う。型締装置１０は例えば横型であって、型開閉方向が水平方向である。型締装置１０は、固定プラテン１２、可動プラテン１３、トグルサポート１５、タイバー１６、トグル機構２０、型締モータ２５および運動変換機構２６を有する。
【００１６】
固定プラテン１２は、フレームＦｒに対し固定される。固定プラテン１２における可動プラテン１３との対向面に固定金型３２が取り付けられる。
【００１７】
可動プラテン１３は、フレームＦｒ上に敷設されるガイド（例えばガイドレール）１７に沿って移動自在とされ、固定プラテン１２に対し進退自在とされる。可動プラテン１３における固定プラテン１２との対向面に可動金型３３が取り付けられる。
【００１８】
固定プラテン１２に対し可動プラテン１３を進退させることにより、型閉、型締、型開が行われる。固定金型３２と可動金型３３とで金型装置３０が構成される。
【００１９】
トグルサポート１５は、固定プラテン１２と間隔をおいて連結され、フレームＦｒ上に型開閉方向に移動自在に載置される。尚、トグルサポート１５は、フレームＦｒ上に敷設されるガイドに沿って移動自在とされてもよい。トグルサポート１５のガイドは、可動プラテン１３のガイド１７と共通のものでもよい。
【００２０】
尚、本実施形態では、固定プラテン１２がフレームＦｒに対し固定され、トグルサポート１５がフレームＦｒに対し型開閉方向に移動自在とされるが、トグルサポート１５がフレームＦｒに対し固定され、固定プラテン１２がフレームＦｒに対し型開閉方向に移動自在とされてもよい。
【００２１】
タイバー１６は、固定プラテン１２とトグルサポート１５とを間隔をおいて連結する。タイバー１６は、複数本用いられてよい。各タイバー１６は、型開閉方向に平行とされ、型締力に応じて伸びる。少なくとも１本のタイバー１６には型締力検出器１８が設けられる。型締力検出器１８は、タイバー１６の歪みを検出することによって型締力を検出し、検出結果を示す信号を制御装置９０に送る。
【００２２】
尚、型締力検出器１８は、歪みゲージ式に限定されず、圧電式、容量式、油圧式、電磁式などでもよく、その取り付け位置もタイバー１６に限定されない。
【００２３】
トグル機構２０は、可動プラテン１３とトグルサポート１５との間に配設される。トグル機構２０は、クロスヘッド２１、一対のリンク群などで構成される。各リンク群は、ピンなどで屈伸自在に連結される第１リンク２２および第２リンク２３を有する。第１リンク２２は可動プラテン１３に対しピンなどで揺動自在に取付けられ、第２リンク２３はトグルサポート１５に対しピンなどで揺動自在に取付けられる。第２リンク２３は、第３リンク２４を介してクロスヘッド２１に取付けられる。クロスヘッド２１を進退させると、第１リンク２２および第２リンク２３が屈伸し、トグルサポート１５に対し可動プラテン１３が進退する。
【００２４】
尚、トグル機構２０の構成は、図１および図２に示す構成に限定されない。例えば図１および図２では、各リンク群の節点の数が５つであるが、４つでもよく、第３リンク２４の一端部が、第１リンク２２と第２リンク２３との節点に結合されてもよい。
【００２５】
型締モータ２５は、トグルサポート１５に取付けられており、トグル機構２０を作動させる。型締モータ２５は、クロスヘッド２１を進退させることにより、第１リンク２２および第２リンク２３を屈伸させ、可動プラテン１３を進退させる。型締モータ２５は、運動変換機構２６に直結されるが、ベルトやプーリなどを介して運動変換機構２６に連結されてもよい。
【００２６】
運動変換機構２６は、型締モータ２５の回転運動をクロスヘッド２１の直線運動に変換する。運動変換機構２６は、ねじ軸と、ねじ軸に螺合するねじナットとを含む。ねじ軸と、ねじナットとの間には、ボールまたはローラが介在してよい。
【００２７】
型締装置１０は、制御装置９０による制御下で、型閉工程、型締工程、型開工程などを行う。
【００２８】
型閉工程では、型締モータ２５を駆動してクロスヘッド２１を設定速度で型閉完了位置まで前進させることにより、可動プラテン１３を前進させ、可動金型３３を固定金型３２に接触させる。クロスヘッド２１の位置や速度は、例えば型締モータ２５のエンコーダ２５ａなどを用いて検出する。エンコーダ２５ａは、型締モータ２５の回転を検出し、その検出結果を示す信号を制御装置９０に送る。
【００２９】
型締工程では、型締モータ２５をさらに駆動してクロスヘッド２１を型閉完了位置から型締位置までさらに前進させることで型締力を生じさせる。型締時に可動金型３３と固定金型３２との間にキャビティ空間３４が形成され、射出装置４０がキャビティ空間３４に液状の成形材料を充填する。充填された成形材料が固化されることで、成形品が得られる。キャビティ空間３４の数は複数でもよく、その場合、複数の成形品が同時に得られる。
【００３０】
型開工程では、型締モータ２５を駆動してクロスヘッド２１を設定速度で型開完了位置まで後退させることにより、可動プラテン１３を後退させ、可動金型３３を固定金型３２から離間させる。その後、エジェクタ装置５０が可動金型３３から成形品を突き出す。
【００３１】
尚、本実施形態の型締装置１０は、駆動源として、型締モータ２５を有するが、型締モータ２５の代わりに、油圧シリンダを有してもよい。また、型締装置１０は、型開閉用にリニアモータを有し、型締用に電磁石を有してもよい。
【００３２】
エジェクタ装置５０は、金型装置３０から成形品を突出す。エジェクタ装置５０は、エジェクタモータ５１、運動変換機構５２、およびエジェクタロッド５３を有する。
【００３３】
エジェクタモータ５１は、可動プラテン１３に取り付けられる。エジェクタモータ５１は、運動変換機構５２に直結されるが、ベルトやプーリなどを介して運動変換機構５２に連結されてもよい。
【００３４】
運動変換機構５２は、エジェクタモータ５１の回転運動をエジェクタロッド５３の直線運動に変換する。運動変換機構５２は、ねじ軸と、ねじ軸に螺合するねじナットとを含む。ねじ軸と、ねじナットとの間には、ボールまたはローラが介在してよい。
【００３５】
エジェクタロッド５３は、可動プラテン１３の貫通穴において進退自在とされる。エジェクタロッド５３の前端部は、可動金型３３の内部に進退自在に配設される可動部材３５と接触する。エジェクタロッド５３の前端部は、可動部材３５と連結されていても、連結されていなくてもよい。
【００３６】
エジェクタ装置５０は、制御装置９０による制御下で、突き出し工程を行う。
【００３７】
突き出し工程では、エジェクタモータ５１を駆動してエジェクタロッド５３を設定速度で前進させることにより、可動部材３５を前進させ、成形品を突き出す。その後、エジェクタモータ５１を駆動してエジェクタロッド５３を設定速度で後退させ、可動部材３５を元の位置まで後退させる。エジェクタロッド５３の位置や速度は、例えばエジェクタモータ５１のエンコーダ５１ａを用いて検出する。エンコーダ５１ａは、エジェクタモータ５１の回転を検出し、その検出結果を示す信号を制御装置９０に送る。
【００３８】
次に、射出装置４０および射出装置移動装置６０について説明する。射出装置４０および射出装置移動装置６０の説明では、型締装置１０などの説明と異なり、充填時のスクリュ４３の移動方向（図１および図２中左方向）を前方とし、計量時のスクリュ４３の移動方向（図１および図２中右方向）を後方として説明する。
【００３９】
射出装置４０は、フレームＦｒに対し進退自在なスライドベースＳｂに設置され、金型装置３０に対し進退自在とされる。射出装置４０は、金型装置３０にタッチされ、金型装置３０内のキャビティ空間３４に成形材料を充填する。キャビティ空間３４に充填された成形材料を冷却固化させることで、成形品が得られる。射出装置４０は、例えば、シリンダ４１、ノズル４２、スクリュ４３、冷却器４４、計量モータ４５、射出モータ４６、圧力検出器４７、加熱器４８、および温度検出器４９を有する。
【００４０】
シリンダ４１は、供給口４１ａから内部に供給された成形材料を加熱する。供給口４１ａはシリンダ４１の後部に形成される。シリンダ４１の後部の外周には、水冷シリンダなどの冷却器４４が設けられる。冷却器４４よりも前方において、シリンダ４１の外周には、バンドヒータなどの加熱器４８と温度検出器４９とが設けられる。
【００４１】
シリンダ４１は、シリンダ４１の軸方向（図１および図２中左右方向）に複数のゾーンに区分される。各ゾーンに加熱器４８と温度検出器４９とが設けられる。ゾーン毎に、温度検出器４９の検出温度が設定温度になるように、制御装置９０が加熱器４８を制御する。
【００４２】
ノズル４２は、シリンダ４１の前端部に設けられ、金型装置３０に対し押し付けられる。ノズル４２の外周には、加熱器４８と温度検出器４９とが設けられる。ノズル４２の検出温度が設定温度になるように、制御装置９０が加熱器４８を制御する。
【００４３】
スクリュ４３は、シリンダ４１内において回転自在に且つ進退自在に配設される。スクリュ４３を回転させると、スクリュ４３の螺旋状の溝に沿って成形材料が前方に送られる。成形材料は、前方に送られながら、シリンダ４１からの熱によって徐々に溶融される。液状の成形材料がスクリュ４３の前方に送られシリンダ４１の前部に蓄積されるにつれ、スクリュ４３が後退させられる。その後、スクリュ４３を前進させると、スクリュ４３前方の成形材料がノズル４２から射出され、金型装置３０内に充填される。
【００４４】
計量モータ４５は、スクリュ４３を回転させる。
【００４５】
射出モータ４６は、スクリュ４３を進退させる。射出モータ４６の回転運動は、ボールねじなどの運動変換機構によってスクリュ４３の直線運動に変換される。
【００４６】
圧力検出器４７は、射出モータ４６とスクリュ４３との間の力の伝達経路に設けられ、圧力検出器４７に作用する荷重を検出する。圧力検出器４７は、その検出結果を示す信号を制御装置９０に送る。圧力検出器４７の検出結果は、スクリュ４３が成形材料から受ける圧力、スクリュ４３に対する背圧、スクリュ４３から成形材料に作用する圧力などの制御や監視に用いられる。
【００４７】
射出装置４０は、制御装置９０による制御下で、充填工程、保圧工程、計量工程などを行う。
【００４８】
充填工程では、射出モータ４６を駆動してスクリュ４３を設定速度で前進させ、スクリュ４３の前方に蓄積された液状の成形材料を金型装置３０内のキャビティ空間３４に充填させる。スクリュ４３の位置や速度は、例えば射出モータ４６のエンコーダ４６ａを用いて検出する。エンコーダ４６ａは、射出モータ４６の回転を検出し、その検出結果を示す信号を制御装置９０に送る。スクリュ４３の位置が設定位置に達すると、充填工程から保圧工程への切替（所謂、Ｖ／Ｐ切替）が行われる。スクリュ４３の設定速度は、スクリュ４３の位置や時間などに応じて変更されてよい。
【００４９】
尚、充填工程においてスクリュ４３の位置が設定位置に達した後、その設定位置にスクリュ４３を一時停止させ、その後にＶ／Ｐ切替が行われてもよい。Ｖ／Ｐ切替の直前において、スクリュ４３の停止の代わりに、スクリュ４３の微速前進または微速後退が行われてもよい。
【００５０】
保圧工程では、射出モータ４６を駆動してスクリュ４３を設定圧力で前方に押し、金型装置３０内の成形材料に圧力をかける。冷却収縮による不足分の成形材料が補充できる。成形材料の圧力は、例えば圧力検出器４７を用いて検出する。圧力検出器４７は、その検出結果を示す信号を制御装置９０に送る。
【００５１】
保圧工程ではキャビティ空間３４の成形材料が徐々に冷却され、保圧工程終了時にはキャビティ空間３４の入口が固化した成形材料で塞がれる。この状態はゲートシールと呼ばれ、キャビティ空間３４からの成形材料の逆流が防止される。保圧工程後、冷却工程が開始される。冷却工程では、キャビティ空間３４内の成形材料の固化が行われる。成形サイクルの短縮のため、冷却工程中に計量工程が行われてよい。
【００５２】
計量工程では、計量モータ４５を駆動してスクリュ４３を設定回転数で回転させ、スクリュ４３の螺旋状の溝に沿って成形材料を前方に送る。これに伴い、成形材料が徐々に溶融される。液状の成形材料がスクリュ４３の前方に送られシリンダ４１の前部に蓄積されるにつれ、スクリュ４３が後退させられる。スクリュ４３の回転数は、例えば計量モータ４５のエンコーダ４５ａを用いて検出する。エンコーダ４５ａは、その検出結果を示す信号を制御装置９０に送る。
【００５３】
計量工程では、スクリュ４３の急激な後退を制限すべく、射出モータ４６を駆動してスクリュ４３に対して設定背圧を加えてよい。スクリュ４３に対する背圧は、例えば圧力検出器４７を用いて検出する。圧力検出器４７は、その検出結果を示す信号を制御装置９０に送る。スクリュ４３が設定位置まで後退し、スクリュ４３の前方に所定量の成形材料が蓄積されると、計量工程が終了する。
【００５４】
尚、本実施形態の射出装置４０は、インライン・スクリュ方式であるが、プリプラ方式でもよい。プリプラ方式の射出装置は、可塑化シリンダ内で溶融された成形材料を射出シリンダに供給し、射出シリンダから金型装置内に成形材料を射出する。可塑化シリンダ内にはスクリュが回転自在にまたは回転自在に且つ進退自在に配設され、射出シリンダ内にはプランジャが進退自在に配設される。
【００５５】
射出装置移動装置６０は、制御装置９０による制御下で、金型装置３０に対し射出装置４０を移動させる射出装置移動モータ６１を有する。射出装置移動モータ６１の回転運動は、ボールねじなどの運動変換機構によって射出装置４０の直線運動に変換される。
【００５６】
尚、本実施形態の射出装置移動装置６０は、電動式であるが、油圧式でもよい。
【００５７】
射出装置移動装置６０は、充填工程や保圧工程において、金型装置３０に対しノズル４２を押し付けることで、金型装置３０とノズル４２との間からの成形材料の漏出を抑制する。金型装置３０に対しノズル４２を押し付ける工程をノズルタッチ工程と呼び、金型装置３０に対しノズル４２を押し付ける力をノズルタッチ力と呼ぶ。
【００５８】
射出装置移動装置６０は、金型装置３０や型締装置１０の保護のため、保圧工程の後、次の充填工程の前に、ノズルタッチ力を低下させたり、金型装置３０からノズル４２を離してもよい。
【００５９】
尚、射出装置移動装置６０は、同じ成形品を繰り返し製造するサイクル運転の開始前に金型装置３０に対しノズル４２を押し付け、サイクル運転の終了後にノズルタッチ力を低下させたり金型装置３０からノズル４２を離してもよい。
【００６０】
制御装置９０は、図１や図２に示すようにＣＰＵ（Central Processing Unit）９１と、メモリなどの記憶媒体９２と、入力インターフェイス９３と、出力インターフェイス９４とを有する。制御装置９０は、記憶媒体９２に記憶されたプログラムをＣＰＵ９１に実行させることにより、各種の制御を行う。また、制御装置９０は、入力インターフェイス９３で外部からの信号を受信し、出力インターフェイス９４で外部に信号を送信する。
【００６１】
図３は、一実施形態による制御装置および制御装置によって制御する三相交流モータを示す図である。三相交流モータ１１０としては、型締モータ２５や射出モータ４６、エジェクタモータ５１、射出装置移動モータ６１などが挙げられる。
【００６２】
制御装置９０は、例えば電源１００から三相交流モータ１１０に電力を供給する電力供給ユニット９５を有する。電力供給ユニット９５は、例えば、電源１００から供給される交流電力を直流電力に変換するコンバータ９６と、コンバータ９６から直流電力が供給されるＤＣリンク９７と、ＤＣリンク９７から供給される直流電力を電力変換して三相交流モータ１１０に供給するインバータ９８とを有する。
【００６３】
インバータ９８は、例えば２つのスイッチング素子で構成されるレグを３つ有する。尚、レグの数は特に限定されない。スイッチング素子の具体例としては、例えば、ＭＯＳＦＥＴ（Metal Oxide Semiconductor Filed-Effect Transistor）、ＩＧＢＴ（Insulated Gate Bipolar Transistor）、バイポーラトランジスタなどが挙げられる。各スイッチング素子に対して逆並列にダイオードが接続される。ダイオードは、各スイッチング素子に内蔵されてもよい。
【００６４】
制御装置９０は、例えば、インバータ９８のスイッチング素子を制御する信号を生成する信号生成部９９をさらに有する。信号生成部９９は、例えば、制御する物理量（以下、「制御量」とも呼ぶ。）の実績値と設定値との差に基づいて例えばＰＩＤ（Proportional, Integration and Differential）演算等の演算を行い、上記差がゼロとなるように電流指令を求め、電流指令と搬送波とを比較することによりＰＷＭ（Pulse Width Modulation）信号を生成する。インバータ９８は、信号生成部９９からのＰＷＭ信号に従ってスイッチングし、三相交流モータ１１０に交流電流を供給する。
【００６５】
尚、図３では、三相交流モータ１１０の数が１つであるが、複数でもよい。複数の三相交流モータ１１０に対応して、複数のインバータ９８が設けられる。複数のインバータ９８は一のコンバータ９６に対し並列に接続されてもよく、一のコンバータ９６が複数のインバータ９８に直流電力を供給してもよい。尚、複数のインバータ９８に対応して、複数のコンバータ９６が設けられてもよい。
【００６６】
制御装置９０は、例えば射出モータ４６を制御して、保圧工程を制御する。保圧工程において、制御量は成形材料の圧力であり、その実績値Ｐａは圧力検出器４７によって検出され、その設定値Ｐｒｅｆは予め記憶媒体９２に記憶されている。実績値Ｐａと設定値Ｐｒｅｆとの差がゼロになるように、制御装置９０が射出モータ４６を制御する。
【００６７】
制御装置９０は、保圧工程において、射出モータ４６の状態を低速・高出力の状態に保持する。この状態では、射出モータ４６に供給される各相の電流瞬時値Ｉｕ、Ｉｖ、Ｉｗが略一定になり、いずれか一相に大電流が集中し続ける恐れがある。ここで、ＩｕはＵ相の電流瞬時値を、ＩｖはＶ相の電流瞬時値を、ＩｗはＷ相の電流瞬時値を表す。
【００６８】
そこで、制御装置９０は、保圧工程において、実績値Ｐａと設定値Ｐｒｅｆとの差、および各相の電流瞬時値の大きさ｜Ｉｕ｜、｜Ｉｖ｜、｜Ｉｗ｜のバランスに基づいて、射出モータ４６に電流を供給する。これにより、大電流が三相のうちいずれか一相に集中し続けるのを回避できる。
【００６９】
図４は、制御装置による保圧工程における処理の一例を示すフローチャートである。図４に示す処理は、Ｖ／Ｐ切替時に開始される。Ｖ／Ｐ切替の直後、制御装置９０は、実績値Ｐａと設定値Ｐｒｅｆとの差がゼロになるように、射出モータ４６に電流を供給する。
【００７０】
図４に示すステップＳ１１では、制御装置９０は、実績値Ｐａと設定値Ｐｒｅｆとの差の大きさ｜Ｐｒｅｆ−Ｐａ｜が閾値Ｐｔｈ以下であるか否かをチェックする。閾値Ｐｔｈは、予め試験などにより求められ、記憶媒体９２に記憶されている。閾値Ｐｔｈは、例えば成形品の不良率などに基づいて設定される。
【００７１】
｜Ｐｒｅｆ−Ｐａ｜がＰｔｈを超える場合（ステップＳ１１、Ｎｏ）、成形材料の圧力が許容範囲外であるので、制御装置９０は、ステップＳ１１に戻り、ステップＳ１１以降の処理を続行する。
【００７２】
一方、｜Ｐｒｅｆ−Ｐａ｜がＰｔｈ以下である場合（ステップＳ１１、Ｙｅｓ）、成形材料の圧力が許容範囲内であり、また、射出モータ４６の状態が低速・高出力の状態になっていると推測されるので、制御装置９０はステップＳ１２に進む。ステップＳ１２以降の処理では、詳しくは後述するが、｜Ｉｕ｜、｜Ｉｖ｜、｜Ｉｗ｜のバランスをチェックする。
【００７３】
尚、ステップＳ１１において、制御装置９０は、射出モータ４６の状態が低速・高出力の状態であるか否かを実際に確認してもよい。射出モータ４６の速さは、エンコーダ４６ａなどによって検出できる。また、射出モータ４６の出力は、トルク検出値、トルク指令、電流検出値、電流指令などで表される。射出モータ４６の速さが閾値Ｖｔｈ以下であって、射出モータ４６の出力が閾値Ｔｔｈ以上である場合に、射出モータ４６の状態が低速・高出力の状態であると判定される。これらの閾値Ｖｔｈ、Ｔｔｈは、例えば電流回路の熱疲労破壊試験や熱応力解析などによって求める。
【００７４】
仮に、射出モータ４６の状態が低速・高出力の状態ではないと確認された場合、大電流が三相のうちいずれか一相に集中し続ける恐れが無く、電流回路の熱疲労破壊がほとんど生じない。そのため、この場合、制御装置９０は、ステップＳ１２以降の処理を行わなくてもよく、｜Ｉｕ｜、｜Ｉｖ｜、｜Ｉｗ｜のバランスをチェックしなくてもよい。この場合、制御装置９０は、通常通り、保圧工程の終了まで、実績値Ｐａと設定値Ｐｒｅｆとの差に基づいて射出モータ４６に電流を供給してもよい。一方、射出モータ４６の状態が低速・高出力の状態であると確認された場合、制御装置９０はステップＳ１２に進む。
【００７５】
ステップＳ１２では、制御装置９０は、｜Ｉｕ｜がＩｔｈ以下であるか否かをチェックする。Ｉｔｈは閾値であって、｜Ｉｕ｜がＩｔｈ以下であれば、残りの｜Ｉｖ｜と｜Ｉｗ｜とが略同じになるように設定される。
【００７６】
Ｕ相の電気角、Ｖ相の電気角およびＷ相の電気角は、１２０°ずつ、ずれている。そのため、いずれか一相の電流瞬時値の大きさがゼロに近くなるほど、残りの二相の電流瞬時値の大きさが同じ値に近づく。
【００７７】
｜Ｉｕ｜がＩｔｈを超える場合（ステップＳ１２、Ｎｏ）、電流がＶ相とＷ相とには分散されておらず、大電流が三相のうちいずれか一相に集中し続ける恐れがあるので、制御装置９０はステップＳ１３に進む。ステップＳ１３では、制御装置９０は、｜Ｉｖ｜がＩｔｈ以下であるか否かをチェックする。｜Ｉｖ｜がＩｔｈを超える場合（ステップＳ１３、Ｎｏ）、電流がＷ相とＵ相とには分散されておらず、大電流が三相のうちいずれか一相に集中し続ける恐れがあるので、制御装置９０はステップＳ１４に進む。ステップＳ１４では、制御装置９０は、｜Ｉｗ｜がＩｔｈ以下であるか否かをチェックする。｜Ｉｗ｜がＩｔｈを超える場合（ステップＳ１４、Ｎｏ）、電流がＵ相とＶ相とには分散されておらず、大電流が三相のうちいずれか一相に集中し続ける恐れがあるので、制御装置９０はステップＳ１５に進む。
【００７８】
ステップＳ１５では、制御装置９０は、｜Ｉｕ｜、｜Ｉｖ｜、｜Ｉｗ｜のいずれかがＩｔｈ以下となるように、射出モータ４６の各相の電気角を回転させる。これにより、残りの二相に電流を分散できる。
【００７９】
射出モータ４６の各相の電気角は、電流指令などから求められる。射出モータ４６の各相の電気角が６０°回転する間に、｜Ｉｕ｜、｜Ｉｖ｜、｜Ｉｗ｜のいずれかがＩｔｈ以下になる。尚、制御装置９０は、射出モータ４６の各相の電気角を６０°以上回転させてもよい。
【００８０】
射出モータ４６の各相の電気角の回転量は、実績値Ｐａと設定値Ｐｒｅｆとの差が許容範囲内に収まる程度に設定される。射出モータ４６の極対数は通常２以上であるので、機械角の回転量は電気角の回転量の半分以下である。電気角の回転量に比べて機械角の回転量は僅かであるので、電気角の回転によるスクリュ４３の位置変動は僅かである。よって、実績値Ｐａの変動は僅かであり、実績値Ｐａと設定値Ｐｒｅｆとの差を許容範囲内に収めることが可能である。
【００８１】
図５は、射出モータの速度および電流、ならびに成形材料の圧力の時間変化の一例を示す図である。図５では、時刻ｔ１において、射出モータ４６の状態が低速・高出力の状態となっており、｜Ｉｕ｜、｜Ｉｖ｜、｜Ｉｗ｜のいずれもＩｔｈよりも大きく、大電流がＶ相に集中している。
【００８２】
そこで、制御装置９０は、図５に示すように、時刻ｔ１から時刻ｔ２にかけて各相の電気角を回転し、｜Ｉｗ｜をＩｔｈ以下にする。これにより、電流がＶ相とＵ相とに分散されるので、大電流がＶ相に集中し続けることを回避できる。
【００８３】
図５では、時刻ｔ１から時刻ｔ２にかけて、射出モータ４６の駆動力を小さくする方向に、つまり、スクリュ４３を後退させる方向に、射出モータ４６の各相の電気角を回転させる。時刻ｔ２における｜Ｉｕ｜、｜Ｉｖ｜、｜Ｉｗ｜の最大値が、時刻ｔ１における｜Ｉｕ｜、｜Ｉｖ｜、｜Ｉｗ｜の最大値よりも小さくなる。
【００８４】
図６は、射出モータの速度および電流、ならびに成形材料の圧力の時間変化の別の一例を示す図である。図６では、時刻ｔ１において、射出モータ４６の状態が低速・高出力の状態となっており、｜Ｉｕ｜、｜Ｉｖ｜、｜Ｉｗ｜のいずれもＩｔｈよりも大きく、大電流がＶ相に集中している。
【００８５】
そこで、制御装置９０は、図６に示すように、時刻ｔ１から時刻ｔ２にかけて射出モータ４６の各相の電気角を回転させ、｜Ｉｕ｜をＩｔｈ以下にする。これにより、電流がＶ相とＷ相とに分散されるので、大電流がＶ相に集中し続けることを回避できる。
【００８６】
図６では、時刻ｔ１から時刻ｔ２にかけて、射出モータ４６の駆動力を大きくする方向に、つまり、スクリュ４３を前進させる方向に、射出モータ４６の各相の電気角を回転させる。時刻ｔ２における｜Ｉｕ｜、｜Ｉｖ｜、｜Ｉｗ｜の最大値が、時刻ｔ１における｜Ｉｕ｜、｜Ｉｖ｜、｜Ｉｗ｜の最大値よりも小さくなる。
【００８７】
ステップＳ１５の後、制御装置９０は、保圧工程の終了まで、射出モータ４６の各相の電気角を固定させて、スクリュ４３の位置を保持し続けてもよいが、図４では、ステップＳ１１に戻り、ステップＳ１１以降の処理を続行する。ステップＳ１１に戻ることで、ステップＳ１５の後に、実績値Ｐａと設定値Ｐｒｅｆとの差が許容範囲内であるか否かを確認できる。
【００８８】
一方、｜Ｉｕ｜がＩｔｈ以下である場合（ステップＳ１２、Ｙｅｓ）、｜Ｉｖ｜がＩｔｈ以下である場合（ステップＳ１３、Ｙｅｓ）、または｜Ｉｗ｜がＩｔｈ以下である場合（ステップＳ１４、Ｙｅｓ）、いずれか二相に電流が分散されている。そのため、電流回路の熱疲労破壊を抑制できるので、制御装置９０はステップＳ１６に進む。
【００８９】
ステップＳ１６では、制御装置９０は、射出モータ４６の各相の電気角を固定させて、スクリュ４３の位置を保持する。このとき、制御装置９０は、制御量として、成形材料の圧力の代わりに、スクリュ４３の位置を用いてよい。つまり、制御装置９０は、圧力制御の代わりに、位置制御を行ってよい。
【００９０】
ステップＳ１６の後、制御装置９０は、保圧工程の終了まで射出モータ４６の各相の電気角を固定させてもよいが、図４では、ステップＳ１７に進む。ステップＳ１７以降の処理は、時間の経過による実績値Ｐａの変動に対処するためのものである。実績値Ｐａの変動は、例えば、金型装置３０内の成形材料が徐々に固化することなどで生じる。温度変化による成形材料の体積変化が大きい場合や、成形品の品質が実績値Ｐａに依存しやすい場合に有効である。
【００９１】
ステップＳ１７では、制御装置９０は、｜Ｐｒｅｆ−Ｐａ｜がＰｔｈよりも大きいか否かをチェックする。ステップＳ１７で用いられる閾値Ｐｔｈと、ステップＳ１１で用いられる閾値Ｐｔｈとは、図４では同じ値であるが、異なる値でもよい。
【００９２】
｜Ｐｒｅｆ−Ｐａ｜がＰｔｈよりも大きい場合（ステップＳ１７、Ｙｅｓ）、成形材料の圧力変動が大きいので、制御装置９０はステップＳ１８に進む。ステップＳ１８では、制御装置９０は、射出モータ４６の各相の電気角の固定を解除してよく、位置制御を解除してよい。制御装置９０は、位置制御の代わりに圧力制御を行う。具体的には、制御装置９０は、実績値Ｐａと設定値Ｐｒｅｆとの差がゼロになるように射出モータ４６に電流を供給する。その後、制御装置９０は、ステップＳ１１に戻り、ステップＳ１１以降の処理を続行する。
【００９３】
一方、｜Ｐｒｅｆ−Ｐａ｜がＰｔｈ以下である場合（ステップＳ１７、Ｎｏ）、成形材料の圧力が許容範囲内に維持されているので、制御装置９０はステップＳ１９に進む。ステップＳ１９では、制御装置９０は、保圧工程の終了条件が成立したか否かをチェックする。保圧工程の終了条件は、例えばＶ／Ｐ切替からの経過時間が所定時間に達したことである。
【００９４】
保圧工程を続行する場合（ステップＳ１９、Ｎｏ）、制御装置９０は、ステップＳ１６に戻り、ステップＳ１６以降の処理を続行する。
【００９５】
一方、保圧工程を終了する場合（ステップＳ１９、Ｙｅｓ）、制御装置９０は今回の処理を終了する。
【００９６】
尚、本実施形態では、設定値Ｐｒｅｆは、保圧工程の開始から終了まで一定であるが、保圧工程の開始からの経過時間に応じて切り替えられてもよい。設定値Ｐｒｅｆが切り替えられると、制御装置９０はステップＳ１１に戻り、ステップＳ１１以降の処理を行う。
【００９７】
以上説明したように、制御装置９０は、保圧工程において、実績値Ｐａと設定値Ｐｒｅｆとの差、および射出モータ４６の各相における電流瞬時値の大きさ｜Ｉｕ｜、｜Ｉｖ｜、｜Ｉｗ｜のバランスに基づいて、射出モータ４６に電流を供給する。これにより、大電流が三相のうちいずれか一相に集中し続けるのを回避できる。
【００９８】
制御装置９０は、実績値Ｐａと設定値Ｐｒｅｆとの差が許容範囲内であって、且つ、いずれか一相の電流瞬時値の大きさが閾値Ｉｔｈ以下となるように、射出モータ４６に電流を供給してよい。これにより、残りの二相に電流を分散できる。
【００９９】
制御装置９０は、実績値Ｐａと設定値Ｐｒｅｆとの差が許容範囲内である場合に、いずれか一相の電流瞬時値の大きさが閾値Ｉｔｈ以下であるか否かの判断を行う。いずれか一相の電流瞬時値の大きさが閾値Ｉｔｈ以下であれば、残りの二相に電流が分散していると判断できる。
【０１００】
尚、制御装置９０は、いずれか二相に電流が分散していることを直接的に確認するため、いずれか一相の電流瞬時値の大きさと、残りのいずれか一相の電流瞬時値の大きさとが閾値以下であるか否かの判断を行ってもよい。例えば、ステップＳ１２において、｜Ｉｕ｜がＩｔｈ以下であるか否かの判断の代わりに、｜Ｉｖ｜と｜Ｉｗ｜の差が閾値以下であるか否かの判断がなされてもよい。また、ステップＳ１３において、｜Ｉｖ｜がＩｔｈ以下であるか否かの判断の代わりに、｜Ｉｗ｜と｜Ｉｕ｜の差が閾値以下であるか否かの判断がなされてもよい。さらに、ステップＳ１４において、｜Ｉｗ｜がＩｔｈ以下であるか否かの判断の代わりに、｜Ｉｕ｜と｜Ｉｖ｜の差が閾値以下であるか否かの判断がなされてもよい。この変形例の判断はいずれか二相に電流が分散していることを直接的に確認できるのに対し、図４に示す判断は簡易的に行うことができる。
【０１０１】
制御装置９０は、実績値Ｐａと設定値Ｐｒｅｆとの差が許容範囲内である場合に、各相の電流瞬時値の大きさ｜Ｉｕ｜、｜Ｉｖ｜、｜Ｉｗ｜がいずれも閾値Ｉｔｈを超えると判断すると、射出モータ４６の各相の電気角を回転させる。射出モータ４６の各相の電気角の回転量は、｜Ｉｕ｜、｜Ｉｖ｜、｜Ｉｗ｜のいずれかがＩｔｈ以下となるように設定される。これにより、残りの二相に電流を分散できる。
【０１０２】
射出モータ４６の各相の電気角は、電流指令などから求められる。射出モータ４６の各相の電気角が６０°回転する間に、｜Ｉｕ｜、｜Ｉｖ｜、｜Ｉｗ｜のいずれかがＩｔｈ以下になる。尚、制御装置９０は、射出モータ４６の各相の電気角を６０°以上回転させてもよい。
【０１０３】
射出モータ４６の各相の電気角の回転量は、実績値Ｐａと設定値Ｐｒｅｆとの差が許容範囲内に収まる程度に設定されてよい。尚、射出モータ４６の各相の電気角の回転量は、実績値Ｐａと設定値Ｐｒｅｆとの差が許容範囲外となるように設定されてもよい。この場合、各相の電気角の回転後に、各相の電気角が元に戻らないように、制御装置９０は下記（１）〜（３）の制御を行う。
【０１０４】
（１）制御装置９０は、制御量として、成形材料の圧力の代わりに、スクリュ４３の位置を用いる。つまり、制御装置９０は、圧力制御の代わりに、位置制御を行う。具体的には、制御装置９０は、スクリュ４３の位置を保持する。従って、射出モータ４６の各相の電気角が、回転後の電気角に固定される。
【０１０５】
（２）制御装置９０は、制御量として、成形材料の圧力を用い続けてもよく、実績値Ｐａと設定値Ｐｒｅｆとの差に基づいて作成した電流指令を、各相の電気角が回転後の電気角に固定されるように補正してもよい。
【０１０６】
（３）制御装置９０は、制御量として、成形材料の圧力を用い続けてもよく、実績値Ｐａと設定値Ｐｒｅｆとの差の許容範囲を広く変更し、変更後の許容範囲内に差を収めることで、各相の電気角を回転後の電気角に固定させてもよい。但し、変更後の許容範囲内に差が収まらない場合には、変更後の許容範囲内に差が収まるように、制御装置９０は各相の電気角を再び回転させてよい。
【０１０７】
上記（１）〜（３）の制御は、ステップＳ１５の後に電気角が固定される場合やステップＳ１６において電気角が固定される場合にも適用可能である。上記（３）の制御がステップＳ１６において行われる場合、ステップＳ１７の閾値ＰｔｈはステップＳ１１の閾値Ｐｔｈよりも大きく設定されてよい。
【０１０８】
本明細書において、「電気角が固定される」とは、電気角が全く変動せずに完全に固定される場合だけではなく、電気角が誤差の範囲内で僅かに変動する場合をも含む。
【０１０９】
射出モータ４６の各相の電気角を回転させる方向は、射出モータ４６の駆動力を小さくする方向、つまり、スクリュ４３を後退させる方向でもよいし、射出モータ４６の駆動力を大きくする方向、つまり、スクリュ４３を前進させる方向でもよい。射出モータ４６の各相の電気角を回転させることで、｜Ｉｕ｜、｜Ｉｖ｜、｜Ｉｗ｜の最大値が小さくなればよい。
【０１１０】
射出モータ４６の各相の電気角を回転させる方向は、｜Ｉｕ｜、｜Ｉｖ｜、｜Ｉｗ｜のいずれかが最初にＩｔｈ以下となるまでの電気角の回転量が小さい方向でもよい。電気角の回転量が最小で済むので、実績値Ｐａの変動が最小で済む。
【０１１１】
射出モータ４６の各相の電気角を回転させる制御としては、例えば下記（１）〜（３）の制御が挙げられる。
【０１１２】
（１）制御装置９０は、制御量として、成形材料の圧力の代わりに、スクリュ４３の位置を用いる。つまり、制御装置９０は、圧力制御の代わりに、位置制御を行う。具体的には、制御装置９０は、スクリュ４３の位置を補正して、射出モータ４６の各相の電気角を回転させる。
【０１１３】
尚、位置制御の制御量としては、スクリュ４３の位置の代わりに、射出モータ４６の電気角や機械角が用いられてもよい。
【０１１４】
（２）制御装置９０は、制御量として、成形材料の圧力の代わりに、スクリュ４３の速度を用いる。つまり、制御装置９０は、圧力制御の代わりに、速度制御を行う。具体的には、制御装置９０は、スクリュ４３の速度を補正して、スクリュ４３の位置を補正し、射出モータ４６の各相の電気角を回転させる。
【０１１５】
（３）制御装置９０は、制御量として、成形材料の圧力を用い続けてもよく、実績値Ｐａと設定値Ｐｒｅｆとの差に基づいて作成した電流指令を、各相の電気角が回転するように補正する。
【０１１６】
一方、制御装置９０は、実績値Ｐａと設定値Ｐｒｅｆとの差が許容範囲内である場合に、射出モータ４６のいずれか一相の電流瞬時値の大きさが閾値Ｉｔｈ以下であると判断すると、射出モータ４６の各相の電気角を固定してよい。いずれか一相の電流瞬時値の大きさがＩｔｈ以下であれば、既に残りの二相に電流が分散している。
【０１１７】
制御装置９０は、射出モータ４６の各相の電気角を固定している場合に、実績値Ｐａと設定値Ｐｒｅｆとの差が許容範囲内であるか否かを判断する。これにより、時間の経過による実績値Ｐａの変動に対処できる。実績値Ｐａの変動は、例えば、金型装置３０内の成形材料が徐々に固化することなどで生じる。温度変化による成形材料の体積変化が大きい場合や、成形品の品質が実績値Ｐａに依存しやすい場合に有効である。
【０１１８】
尚、制御装置９０は、図４に示すように、実績値Ｐａと設定値Ｐｒｅｆとの差が許容範囲内である場合（ステップＳ１１、Ｙｅｓ）、射出モータ４６のいずれか一相の電流瞬時値の大きさが閾値Ｉｔｈ以下であるか否かの判断（ステップＳ１２〜Ｓ１４）を行うが、本発明はこれに限定されない。
【０１１９】
三相の電流瞬時値Ｉｕ、Ｉｖ、Ｉｗのうち、最大値をＩｍａｘ、中間値をＩｍｉｄ、最小値をＩｍｉｎと表記すると、Ｉｍａｘ、Ｉｍｉｄ、Ｉｍｉｎの総和は、一般的にゼロである。つまり、Ｉｍａｘ＋Ｉｍｉｄ＋Ｉｍｉｎ＝０の式が成立する。
【０１２０】
そのため、（Ａ）｜Ｉｕ｜、｜Ｉｖ｜、｜Ｉｗ｜がそれぞれ閾値Ｉｔｈ以下であるか否かを判断する代わりに、（Ｂ）中間値Ｉｍｉｄの大きさ｜Ｉｍｉｄ｜が閾値Ｉｔｈ以下であるか否かのみを判断してもよい。
【０１２１】
また、｜Ｉｍｉｄ｜＝｜Ｉｍａｘ＋Ｉｍｉｎ｜の式が成立するので、（Ｃ）｜Ｉｍａｘ＋Ｉｍｉｎ｜が閾値Ｉｔｈ以下であるかを判断してもよい。ここで、｜Ｉｍａｘ＋Ｉｍｉｎ｜は、ＩｍａｘとＩｍｉｎの和の大きさを表す。
【０１２２】
上記（Ａ）、（Ｂ）、（Ｃ）の判断は実質的に同じ判断であり、いずれか１つの判断を行えば、他の３つの判断を行ったことになる。
【０１２３】
尚、｜Ｉｍｉｄ｜＝０の式が成立する場合、｜Ｉｍａｘ｜＝｜Ｉｍｉｎ｜の式が成立する。そこで、｜Ｉｍａｘ｜と｜Ｉｍｉｎ｜との差の大きさが閾値以下であるか否かを判断してもよい。ここで、｜Ｉｍａｘ｜はＩｍａｘの大きさを、｜Ｉｍｉｎ｜はＩｍｉｎの大きさを表す。
【０１２４】
制御装置９０は、実績値Ｐａと設定値Ｐｒｅｆとの差が許容範囲内であって且つ射出モータ４６のいずれか一相の電流瞬時値の大きさが閾値Ｉｔｈ以下となる、スクリュ４３の位置を求めてよい。その位置は、過去の実績などに基づき予想することができる。射出成形機は同じ成形品を繰り返し製造すべく同じ動作を繰り返すので、過去の実績などに基づく予想が可能である。つまり、制御装置９０は、学習機能を有してよい。この場合、制御装置９０は、保圧工程の開始後、予め求めた位置にスクリュ４３を移動させ、その位置でスクリュ４３を位置保持してよい。
【０１２５】
また、制御装置９０は、射出モータ４６のいずれか一相の電流瞬時値の大きさが閾値Ｉｔｈ以下であるか否かの判断（ステップＳ１２〜Ｓ１４）の代わりに、別の判断を行ってもよい。例えば、制御装置９０は、実績値Ｐａと設定値Ｐｒｅｆとの差を許容範囲内に維持すると共に、｜Ｉｕ｜、｜Ｉｖ｜、｜Ｉｗ｜の最大値を小さくするように、各相の電気角を回転させることが可能か否かを判断してもよい。その判断は、例えば、電気角の回転量や回転方向と、実績値Ｐａの変動量とを対応付けて記憶した過去のデータに基づいてなされる。制御装置９０は、実績値Ｐａと設定値Ｐｒｅｆとの差を許容範囲内に維持すると共に、｜Ｉｕ｜、｜Ｉｖ｜、｜Ｉｗ｜の最大値を小さくすることが可能と判断すると、その電気角の回転を実行する。その電気角の回転は、射出モータ４６のいずれか一相の電流瞬時値の大きさが閾値Ｉｔｈ以下であるか否かの判断結果に関係なく行われてもよい。
【０１２６】
また、制御装置９０は、過去のショットの｜Ｉｕ｜、｜Ｉｖ｜、｜Ｉｗ｜のバランスに基づいて、今回のショットの｜Ｉｕ｜、｜Ｉｖ｜、｜Ｉｗ｜のバランスを決めてもよい。１回のショットでは、型閉工程、型締工程、充填工程、保圧工程、冷却工程、型開工程などが行われる。ここで、過去のショットは、直近の１回のショットでもよいし、直近の複数回のショットでもよい。例えば、制御装置９０は、各ショットの保圧工程において、実績値Ｐａと設定値Ｐｒｅｆとの差を許容範囲内に維持すると共に、各ショットにおいて電流瞬時値の大きさが最小となる相を、Ｕ相、Ｖ相、Ｗ相の順番で変更してもよい。電流瞬時値の大きさが最大となる相が固定されないので、熱疲労破壊をさらに抑制できる。尚、順番は特に限定されず、例えばＵ相、Ｗ相、Ｖ相の順番でもよい。また、電流瞬時値の大きさが最小となる相の変更は、１ショット毎でも、複数ショット毎でもよい。尚、電流瞬時値の大きさが最小となる相は、三相のうちの二相の間で交互に選択されてもよい。また、電流瞬時値の大きさが最小となる相は、順番ではなく、ランダムに選択されてもよい。
【０１２７】
以上、射出成形機の実施形態等について説明したが、本発明は上記実施形態等に限定されるものではなく、特許請求の範囲に記載された本発明の要旨の範囲内において、種々の変形、改良が可能である。
【０１２８】
制御装置９０は、三相交流モータ１１０の状態を低速・高出力の状態に保持する場合に、制御量の実績値と設定値との差、および三相交流モータ１１０の各相における電流瞬時値の大きさのバランスに基づいて、三相交流モータ１１０に電流を供給すればよい。三相交流モータ１１０の種類、および三相交流モータ１１０によって駆動される可動部の種類は、特に限定されない。
【０１２９】
制御装置９０は、Ｖ／Ｐ切替の直前において、スクリュ４３を一時停止させるなど、スクリュ４３の速さを低下させる場合に、射出モータ４６の状態を低速・高出力の状態に保持する。そこで、制御装置９０は、Ｖ／Ｐ切替の直前においてスクリュ４３の速さを低下させる場合に、制御量の実績値と設定値との差、および射出モータ４６の各相における電流瞬時値の大きさのバランスに基づいて、射出モータ４６に電流を供給してもよい。この場合、可動部は例えばスクリュ４３であり、制御量はスクリュ４３の位置または速度である。尚、射出装置がプリプラ方式である場合、可動部はプランジャである。
【０１３０】
制御装置９０は、型締工程において、型締モータ２５の状態を低速・高出力の状態に保持する。そこで、制御装置９０は、型締工程において、制御量の実績値と設定値との差、型締モータ２５の各相における電流瞬時値の大きさのバランスに基づいて、型締モータ２５に電流を供給してもよい。この場合、可動部は例えばクロスヘッド２１であり、制御量はクロスヘッド２１の位置である。尚、可動部は可動プラテン１３でもよく、制御量は可動プラテン１３の位置でもよい。また、制御量は、型締力でもよい。
【０１３１】
ところで、型締装置１０は、図１や図２では型開閉方向が水平方向である横型であるが、型開閉方向が上下方向である竪型でもよい。竪型締装置は、下プラテン、上プラテン、トグルサポート、トグル機構、およびタイバーなどを有する。下プラテンと上プラテンのうち、いずれか一方が固定プラテン、残りの一方が可動プラテンとして用いられる。下プラテンには下金型が取り付けられ、上プラテンには上金型が取り付けられる。下金型と上金型とで金型装置が構成される。下金型は、ロータリーテーブルを介して下プラテンに取り付けられてもよい。トグルサポートは、下プラテンの下方に配設される。トグル機構は、トグルサポートと下プラテンとの間に配設される。タイバーは、鉛直方向に平行とされ、下プラテンを貫通し、上プラテンとトグルサポートとを連結する。
【０１３２】
上プラテンが可動プラテンであり下プラテンが固定プラテンである場合、型開工程は上プラテンを上昇させることで行われる。型開工程の終了後、トグル機構は畳んだ状態にあるため、トグル倍率が小さく、制御装置９０は、型閉工程の開始まで、型締モータの状態を低速・高出力の状態に保持する。そこで、制御装置９０は、型開工程の終了後、型閉工程の開始前に、制御量の実績値と設定値との差、および型締モータの各相における電流瞬時値の大きさのバランスに基づいて、型締モータに電流を供給してもよい。この場合、可動部は例えばクロスヘッド２１であり、制御量はクロスヘッド２１の位置である。尚、可動部は可動プラテンでもよく、制御量は可動プラテンの位置でもよい。
【０１３３】
制御装置９０は、ノズルタッチ時に、射出装置移動モータ６１の状態を低速・高出力の状態に保持する。そこで、制御装置９０は、ノズルタッチ時に、制御量の実績値と設定値との差、および射出装置移動モータ６１の各相における電流瞬時値の大きさのバランスに基づいて、射出装置移動モータ６１に電流を供給してもよい。この場合、可動部は例えば射出装置４０であり、制御量は射出装置４０の位置またはノズルタッチ力である。
【０１３４】
制御装置９０は、突き出し工程において、エジェクタモータ５１の状態を低速・高出力の状態に保持する場合がある。そのような場合としては、例えば、成形品が金型装置３０に密着し、その密着力がエジェクタロッド５３の前進を妨げる場合が挙げられる。そこで、制御装置９０は、突き出し工程において、制御量の実績値と設定値との差、およびエジェクタモータ５１の各相における電流瞬時値の大きさのバランスに基づいて、エジェクタモータ５１に電流を供給してもよい。この場合、可動部は例えばエジェクタロッド５３であり、制御量はエジェクタロッド５３の位置または速度である。
【０１３５】
エジェクタ装置５０は、金型装置３０内のキャビティ空間の成形材料を圧縮する圧縮装置を兼ねてもよい。この場合、エジェクタモータ５１が圧縮装置の圧縮モータを兼ねる。尚、圧縮装置は、エジェクタ装置５０とは別に設けられてもよい。
【０１３６】
圧縮装置は、金型装置３０内に配設される圧縮コアを移動させる圧縮モータを有する。圧縮モータと圧縮コアとの間には、圧縮モータの回転運動を圧縮コアの直線運動に変換する運動変換部が設けられてよい。
【０１３７】
制御装置９０は、金型装置３０内のキャビティ空間の成形材料を圧縮する圧縮工程において、圧縮モータの状態を低速・高出力の状態に保持する。そこで、制御装置９０は、圧縮工程において、制御量の実績値と設定値との差、および圧縮モータの各相における電流瞬時値の大きさのバランスに基づいて、圧縮モータに電流を供給してもよい。この場合、可動部は例えば圧縮コアであり、制御量は圧縮コアの位置または速度である。
【符号の説明】
【０１３８】
１０  型締装置
２０  トグル機構
２１  クロスヘッド
２５  型締モータ
４０  射出装置
４３  スクリュ
４６  射出モータ
５０  エジェクタ装置
５１  エジェクタモータ
５３  エジェクタロッド
６０  射出装置移動装置
６１  射出装置移動モータ
９０  制御装置
９５  電力供給ユニット
９９  信号生成部
【図１】
2018058214.tif 000003
【図２】
2018058214.tif 000004
【図３】
2018058214.tif 000005
【図４】
2018058214.tif 000006
【図５】
2018058214.tif 000007
【図６】
2018058214.tif 000008